(57)【要約】【課題】フェンス本体の上胴縁や下胴縁のように筒部を有する筒状部材内に雨水やシャワー水等が入り込んでも、筒状部材内に溜まらないようにすることができる筒状部材の端面隠蔽部材および端面隠蔽構造を提供することを目的としている。【解決手段】エンドキャップ１ａが、キャップ本体２ａの隠蔽面２１から突設された筒状嵌入部３ａを、上胴縁７１の筒部７１ａに隠蔽面２１が上胴縁７１の端面に当接するように嵌入された状態でキャップ本体２ａによって上胴縁７１の端面が隠蔽されるとともに、キャップ本体２ａの、筒部７１ａの下側水平壁７１１に対面する位置に、筒部７１ａの軸方向からみて筒部７１ａの下側水平壁７１１の上下方向に両側からはみ出す大きさをした水みち用凹部２２ａ，２２ｂを設けた。【選択図】  図９
2015010376.tif 000002
【特許請求の範囲】
【請求項１】
長手方向に連続する筒部を有する筒状部材の長手方向の端面を隠蔽する少なくとも１つの隠蔽面を有する隠蔽部と、
前記隠蔽面から突設され、前記筒状部材の端部に嵌入される嵌入部を備える筒状部材の端面隠蔽部材であって、
前記隠蔽部が、前記筒部端面に対面する位置の一部、かつ、少なくとも筒部の下端に対面する位置に、前記隠蔽面より凹設され、前記筒部の軸方向からみて筒部の壁の厚み方向の両側からはみ出す大きさをした水みち用凹部を備えていることを特徴とする端面隠蔽部材。
【請求項２】
複数の水みち用凹部が、筒部端面に対面する位置に沿って間欠的に設けられている請求項１に記載の端面隠蔽部材。
【請求項３】
水みち用凹部が、上下に水平壁を有し、筒状部材の端面を構成するする角筒形状の筒部の各コーナー部に対面する位置に設けられている請求項２に記載の筒状部材の端面隠蔽部材。
【請求項４】
嵌入部が、嵌入部本体と、隠蔽面に直交するとともに、筒状部材内に削られつつ入り込む前記嵌入部本体の壁面に突設されたリブとを備えている請求項１〜請求項３のいずれかに記載の筒状部材の端面隠蔽部材。
【請求項５】
リブが、水みち用凹部を臨む位置に設けられている請求項４に記載の端面隠蔽部材。
【請求項６】
隠蔽部が同一平面内にない２つ以上の隠蔽面を有し、各隠蔽面からそれぞれ嵌入部が突設されている請求項１〜５のいずれかに記載の筒状部材の端面隠蔽部材。
【請求項７】
長手方向に連続する筒部を有する筒状部材が、前記筒部の軸が水平面に対し平行あるいは傾斜するように配置されるとともに、前記筒状部材の端面が、端面隠蔽部材の隠蔽部に設けられた隠蔽面によって隠蔽されている筒状部材の端面隠蔽構造であって、
前記隠蔽部の、前記筒部端面に対面する位置の一部、かつ、少なくとも筒部の下端に対面する位置に、前記隠蔽面より凹設され、前記筒部の周壁の厚み方向の両側からはみ出す幅をした水みち用凹部を備えていることを特徴とする筒状部材の端面隠蔽構造。
【請求項８】
請求項６に記載の端面隠蔽部材の１つの隠蔽面から突出する嵌入部が、１つの筒状部材端部に嵌入され、他のいずれかの隠蔽面から突出する嵌入部が、他の筒状部材端部に嵌入されて、少なくとも２つの筒状部材が端面隠蔽部材を介して連結状態にされている請求項７記載の端面隠蔽構造。
【請求項９】
筒状部材が、フェンスの横桟部材である請求項７または請求項８に記載の筒状部材の端面隠蔽構造。
【請求項１０】
筒状部材が、上側水平壁および下側水平壁を有する角筒形状の筒部と、この筒部の上方に設けられるとともに、上側水平壁を底面とし上部に開口を有する筒部上方に設けられたレール溝部とを備え、
前記水みち用凹部が、前記上側水平壁と下側水平壁の端面に対面する位置に設けられている請求項７〜請求項９のいずれかに記載の端面隠蔽構造。
【発明の詳細な説明】
【技術分野】
【０００１】
本発明は、例えば、建物敷地とこの建物敷地に隣接する道路や隣地との境界に沿って設けられるフェンスやパネルの胴縁などの横桟部材や手摺となる筒状部材の端部開口を隠蔽するように用いられるエンドキャップやジョイント部材等の端面隠蔽部材およびこの端面隠蔽部材を用いた筒状部材の端面隠蔽構造に関する。
【背景技術】
【０００２】
例えば、建物敷地とこの建物敷地に隣接する道路や隣地との境界に沿って設けられるフェンスとして、ユニット化されたフェンス本体をコンクリートブロックやコンクリート等のベースに下端が埋め込まれて立設された支柱に支持することによってフェンスを容易に組み立て施工するようにしたものがある。
また、上記フェンス本体としては、例えば、縦格子材と横格子材を組み合わせて形成した格子体や化粧パネル等の上下端を筒状部材としての上下の胴縁で支持したものが用いられている。
そして、上記胴縁等の筒状部材は、一般に軽量で、耐久性および強度的にも優れていることから、胴縁や横格子を形成する格子材等の横桟部材あるいは縦桟部材が、少なくとも長手方向の両端で開口する筒部を有するアルミニウムの押出成形品で形成されている。
【０００３】
また、上記のようなフェンス本体の胴縁等の筒状部材は、その端面がエンドキャップによって隠蔽され、内部に水やゴミ等が入り込まないようにされている。また、隣接する筒状部材同士をジョイント部材で連結するとともに、ジョイント部材の中央に設けらた隠蔽部（ストッパーフィン）によって、連結すると同時に両筒状部材の端面を隠蔽するようになっている（特許文献１）。
すなわち、上記エンドキャップやジョイント部材等の端面隠蔽部材の隠蔽部によって筒状部材の内部や端面が外部から視認できず見栄えよくするとともに、筒状部材の筒部内に水が浸入したり、虫が入ったりしにくい構造となっている。
【先行技術文献】
【特許文献】
【０００４】
【特許文献１】特開平5-202648号公報
【発明の概要】
【発明が解決しようとする課題】
【０００５】
しかし、エンドキャップやジョイント部材を、その嵌入部を筒状部材の端部に嵌入し、隠蔽部の隠蔽面が筒状部材端面に密着するように取り付けても、気温の変化等によって筒状部材が熱伸縮して隠蔽面と横桟部材の端面との間に隙間が生じることがある。
そして、上記のように隠蔽面と胴縁の端面との間に隙間が生じると、この隙間を介して雨水や植木ヘのシャワー水等の水が胴縁内に入り込み易くなり、入り込んだ雨水やシャワー水等が胴縁内に溜まり排水されない水が筒部内で腐って汚臭を放つおそれがある。
また、特に、上記格子体や化粧パネルの下端を支持する下胴縁は、エンドキャップやジョイント部材の嵌入筒部が嵌入される筒部の上方に格子体や化粧パネルの下端がスライド嵌合するレール溝部が開口を上方に向けた状態で設けられており、開口を閉じる蓋部材が設けられていても、蓋部材と筒状部材との隙間や蓋部材と縦桟部材との隙間からレール溝部内に雨水やシャワー水等が入り込み、レール溝部内に溜まり易いという問題がある。
【０００６】
一方、上記レール溝部や筒部の底に排水孔を設けて、筒状部材内に入り込んだ水が溜まらないような構造とすることもできるが、水抜き孔をアルミニウムを押出成形して得られた筒状部材に後加工によって設けなくてはならないため、生産性が悪くコストアップにつながるという問題が発生する。
【０００７】
本発明は、上記事情に鑑みて、筒状部材内に雨水やシャワー水等が入り込んでも、筒状部材内に溜まらないようにすることができる筒状部材の端面隠蔽部材および端面隠蔽構造を提供することを目的としている。
【課題を解決するための手段】
【０００８】
上記目的を達成するために、本発明にかかる筒状部材の端面隠蔽部材は、長手方向に連続する筒部を有する筒状部材の長手方向の端面を隠蔽する少なくとも１つの隠蔽面を有する隠蔽部と、前記隠蔽面から突設され、前記筒状部材の端部に嵌入される嵌入部を備える筒状部材の端面隠蔽部材であって、前記隠蔽部が、前記筒部端面に対面する位置の一部、かつ、少なくとも筒部の下端に対面する位置に、前記隠蔽面より凹設され、前記筒部の軸方向からみて筒部の壁の厚み方向の両側からはみ出す大きさをした水みち用凹部を備えていることを特徴としている。
【０００９】
本発明において、筒状部材とは、少なくとも角筒や丸筒等の筒部を長手方向に連続して備えるものを言い、例えば、フェンスの縦格子材と横格子材とを組み立てって形成した格子体や、化粧パネル体などの上端や下端がスライド嵌合するレール溝部を前記筒部に沿って設けたものも含む。
本発明において、水みち用凹部の深さは、筒部端面と水みち用凹部の底との間に、入り込んだ水がスムーズに通り抜ける隙間が形成されれば、特に限定されないが、端面隠蔽部材の材質によっては、隠蔽部の厚みを厚くしないと、隠蔽部の強度に問題がでるおそれがあるので、０．５〜０．７ｍｍが好ましい。
【００１０】
本発明の端面隠蔽部材は、特に限定されないが、複数の水みち用凹部が、筒状部材の端面に対面する位置に沿って間欠的に設けられていることが好ましく、筒状部材が、上下に水平壁を有し、筒状部材の端面を構成するする角筒形状の筒部を備えたものにおいては、
水みち用凹部を、筒部の各コーナー部に対面する位置に設けることが好ましい。
また、上記嵌入部は、嵌入部本体と、隠蔽面に直交するとともに、筒状部材内に削られつつ入り込む前記嵌入部本体の壁面に突設されたリブとを備えている構成とすることが好ましい。
さらに、上記リブは、水みち用凹部を臨む位置に設けられていることが好ましい。
【００１１】
また、本発明の端面隠蔽部材としては、特に限定されないが、一つの隠蔽面のみを有するエンドキャップや、少なくとも２つの隠蔽面を有するとともに、各隠蔽面からそれぞれ嵌入部が突設されているジョイント部材等が挙げられる。
端面隠蔽部材の材質は、特に限定されないが、ＡＢＳ樹脂、塩化ビニル樹脂、ポリエチレン樹脂等の熱可塑性樹脂、これらの熱可塑性樹脂にガラス繊維やカーボン繊維等の補強繊維を混合した繊維強化樹脂や、アルミニウムやアルミニウム合金などの軽量金属が挙げられる。
また、上記のように嵌入部本体の壁面にリブを設けた構成とした場合、２色成形により、硬質の熱可塑性樹脂からなる嵌入部本体にエラストマー等の弾性を有する樹脂材料からなるリブを一体成形するようにしても構わない。
【００１２】
一方、本発明にかかる筒状部材の端面隠蔽構造は、筒状部材が、その長手方向の軸を水平面に対し平行あるいは傾斜するように配置されるとともに、前記筒状部材の端面が、端面隠蔽部材の隠蔽部に設けられた隠蔽面によって隠蔽されている筒状部材の端面隠蔽構造であって、前記隠蔽部の、前記筒状部材の端面に対面する位置の一部、かつ、少なくとも前記筒状部材の端面の下端に対面する位置に、前記隠蔽面より凹設され、前記筒部の周壁の厚み方向の両側からはみ出す幅をした水みち用凹部を備えていることを特徴としている。
【００１３】
本発明の端面隠蔽構造において、端面隠蔽部材としては、水みち用凹部を備えていない従来の端面隠蔽部材の隠蔽面を現場で切削して水みち用凹部を形成して用いるようにしてもよいが、上記本発明の端面隠蔽部材を用いることが好ましい。
本発明において、上記筒状部材は、筒部のみからなる構成でも、支柱固定部材が係合したり、縦桟材等の端部が嵌り込む凹溝が筒部に沿って設けられている構成としてもよい。
また、筒状部材が、上側水平壁および下側水平壁を有する角筒形状の筒部と、この筒部の上方に設けられるとともに、上側水平壁を底面とし上部に開口を有する筒部上方に設けられたレール溝部とを備えている場合、水みち用凹部が、前記上側水平壁と下側水平壁の端面に対面する位置に設けられている構成とすることが好ましい。
【００１４】
本発明において、上記筒状部材としては、特に限定されないが、例えば、ユニット式フェンスのフェンス本体の上下に設けられた胴縁や、フェンス本体の横格子を形成する格子材等の横桟部材や、手摺パイプが挙げられる。
なお、フェンス本体は、ラティス（格子状）形状をしていても、パネル状をしていても構わない。
【００１５】
また、筒状部材の材質としては、特に限定されないが、例えば、アルミニウムやアルミニウム合金等の軽量金属、ステンレス鋼が挙げられる。また、表面が塗装や樹脂コーティングされていても構わない。
【発明の効果】
【００１６】
本発明の端面隠蔽部材は、上記のように、長手方向に連続する筒部を有する筒状部材の長手方向の端面を隠蔽する少なくとも１つの隠蔽面を有する隠蔽部と、前記隠蔽面から突設され、前記筒状部材の端部に嵌入される嵌入部を備える筒状部材の端面隠蔽部材であって、前記隠蔽部が、前記筒部端面に対面する位置の一部、かつ、少なくとも筒部の下端に対面する位置に、前記隠蔽面より凹設され、前記筒部の軸方向からみて筒部の壁の厚み方向の両側からはみ出す大きさをした水みち用凹部を備えている構成となっている。
【００１７】
したがって、嵌入部を、隠蔽面が筒状部材の端面に当接するまで筒状部材の端部に嵌入させるだけで、前記筒部端面に対面する位置の一部、かつ、少なくとも前記筒部端面の下端に対面する位置に、前記隠蔽面より凹設され、前記筒部の軸方向からみて筒部端面を構成する壁の厚み方向の両側からはみ出す大きさをした水みち用凹部を備える本発明の端面隠蔽構造が容易に得られる。
【００１８】
そして、本発明の端面隠蔽構造は、筒部端面に対面する位置の一部、かつ、少なくとも前記筒部端面の下端に対面する位置に、前記隠蔽面より凹設され、前記筒状部材の軸方向からみて筒状部材の端面を構成する壁の厚み方向の両側からはみ出す大きさをした水みち用凹部を備えているので、隠蔽面と筒状部材の端面との隙間から筒状部材内に入り込んだ水が筒状部材内に溜まらず、水みち用凹部内をとおり下方に排水される。
【００１９】
また、筒状部材が、上側水平壁および下側水平壁を有する角筒形状の筒部と、この筒部の上方に設けられるとともに、上側水平壁を底面とし上部に開口を有する筒部上方に設けられたレール溝部とを備えている場合、水みち用凹部が、前記上側水平壁と下側水平壁の端面に対面する位置に設けられている構成とすれば、上記レール溝部内に雨水やシャワー水等が入り込んでも、上記レール溝部内に入り込んだ雨水やシャワー水等は、上側水平壁に対面する位置に設けられた水みち用凹部を介して筒部内に入り込み、下側水平壁に対面する位置に設けられた水みち用凹部を介して筒部下方に排出される。したがって、レール溝部に雨水やシャワー水等が溜まることがない。
【００２０】
また、本発明の端面隠蔽部材は、複数の水みち用凹部が、筒部端面に対面する位置に沿って間欠的に設けられている構成とすれば、隠蔽面と筒状部材の端面との隙間から筒状部材内に入り込んだ水がよりスムーズに排水される。
本発明の端面隠蔽部材は、嵌入部が、嵌入部本体と、隠蔽面に直交するとともに、筒状部材内に削られつつ入り込む前記嵌入部本体の壁面に突設されたリブとを備えている構成となっていると、リブによってガイドされながら、嵌入部が筒状部材内に入り込み、しっかりと位置決めされるとともに、抜けにくくなる。
【００２１】
さらに、上記リブが、その一端を水みち用凹部を臨む位置に設けられている構成とすれば、リブの水みち用凹部側の部分で嵌入部本体と筒状部材の内壁との間に水の通り道となる隙間が確保され、筒状部材内に入り込んだ水をより確実に水みち用凹部内に導くことができる。すなわち、水抜き効果をさらに高めることができる。しかも、リブの削れかすが水みち用凹部内に入り込むため、嵌入部をよりスムーズに筒状部材内に嵌入させることができる。
【図面の簡単な説明】
【００２２】
【図１】本発明の端面隠蔽部材の第１の実施の形態であるエンドキャップをあらわす斜視図である。
【図２】図１のエンドキャップをあらわし、同図（ａ）はその正面図、同図（ｂ）はその側面図、同図（ｃ）はその平面図である。
【図３】図２（ｃ）のＡ−Ａ断面図である。
【図４】本発明の端面隠蔽部材の第２の実施の形態をであるジョイント部材をあらわす斜視図である。
【図５】図４のジョイント部材をあらわし、同図（ａ）はその正面図、同図（ｂ）はその側面図、同図（ｃ）はその平面図である。
【図６】図５（ｃ）のＢ−Ｂ断面図である。
【図７】本発明のエンドキャップおよびジョイント部材を用いた端面隠蔽構造を備えたフェンスの正面図である。
【図８】図７のＣ方向矢視図である。
【図９】図７のフェンスの上胴縁のエンドキャップによる端面隠蔽構造を説明する断面図である。
【図１０】図７のフェンスの下胴縁のエンドキャップによる端面隠蔽構造を説明する断面図である。
【図１１】図７のフェンスの上胴縁のジョイント部材による端面隠蔽構造を説明する断面図である。
【図１２】図７のフェンスの下胴縁のジョイント部材による端面隠蔽構造を説明する断面図である。
【図１３】本発明の端部隠蔽部材であるジョイント部材の他の実施の形態をあらわし、同図（ａ）はその正面図、同図（ｂ）はその平面図である。
【発明を実施するための形態】
【００２３】
以下に、本発明を、その実施の形態をあらわす図面を参照しつつ詳しく説明する。
図１および図２は、本発明の端面隠蔽部材の第１の実施の形態であるエンドキャップをあらわしている。
【００２４】
図１および図２に示すように、このエンドキャップ１ａは、ＡＢＳ樹脂、塩化ビニル樹脂、ポリエチレン樹脂等の熱可塑性樹脂、これらの熱可塑性樹脂にガラス繊維やカーボン繊維等の補強繊維を混合した繊維強化樹脂や、アルミニウムやアルミニウム合金などの軽量金属から形成されていて、後述するフェンス本体７ａの上胴縁７１および下胴縁７２の長手方向の端面を隠蔽可能になっている。
すなわち、エンドキャップ１ａは、隠蔽部となるキャップ本体２ａと、筒状嵌入部３ａと、２つのアングル状嵌入部４ａを備えている。
【００２５】
キャップ本体２ａは、上下方向に長い矩形板状をしていて、厚み方向の一方の面が隠蔽面２１となっている。
筒状嵌入部３ａは、嵌入部本体となる角筒部３１と、１０条のリブ３２を備えている。
【００２６】
角筒部３１は、図２（ａ）および図３に示すように、断面略正方形をしていて、筒の中心軸（正方形の対角中心を通る軸）がキャップ本体２ａの短手方向の中心に一致するとともに、キャップ本体２ａの上下方向の一方（図１〜図３では上側）に偏った状態でキャップ本体２ａの隠蔽面２１から突設されている。
また、角筒部３１は、両側壁にビス螺合孔３３が穿設されている。
【００２７】
１０条のリブ３２は、角筒部３１の外壁面に沿って設けられ、角筒部３１の上面および下面に当たる外壁面にそれぞれ３条ずつ、角筒部３１の両側の外側面に２条ずつ設けられている。
【００２８】
２つのアングル状嵌入部４ａは、キャップ本体２ａの水平方向の中心軸を挟んで筒状嵌入部３ａよりキャップ本体２ａの水平方向外側に対称にキャップ本体２ａの隠蔽面２１から突設されていて、それぞれ、嵌入部本体４１と、リブ４２と、補強部４３を備えている。
嵌入部本体４１は、断面略Ｌ字をしていて、Ｌ字の長辺側がキャップ本体２ａの長辺に平行になるように設けられている。
補強部４３は、嵌入部本体４１の断面Ｌ字の短辺部分を補強するように設けられている。
【００２９】
また、このエンドキャップ１ａは、４つの第１水みち用凹部２２ａと、２つの第２水みち用凹部２２ｂと、２つの第３水みち用凹部２２ｃを備えている。
第１水みち用凹部２２ａは、角筒部３１の各コーナーの両側に設けられた２つのリブ３２が臨むように設けられ、略Ｌ字形をしている。第１水みち用凹部２２ａの深さは０．６ｍｍで、第１水みち用凹部２２ａの大きさは、筒状嵌入部３ａが後述する上胴縁７１の筒部７１ａに嵌入状態となったとき、筒部７１ａの軸方向からみて筒部７１ａの下側水平壁７１１の上下および側壁の左右にはみ出す大きさをしている。あるいは、下胴縁７２の筒部７２ａに嵌入状態となったとき、筒部７２ａの軸方向からみて筒部７２ａの上側水平壁７２１（あるいは下側水平壁７２２）の上下および側壁の左右にはみ出す大きさをしている。
【００３０】
第２水みち用凹部２２ｂは、角筒部３１の上面中央および下面中央に設けられたリブ３２が臨む位置に、横長に設けられ、第１水みち用凹部２２ａと同じ深さで、筒状嵌入部３ａが後述する上胴縁７１の筒部７１ａに嵌入状態となったとき、筒部７１ａの軸方向からみて筒部７１ａの下側水平壁７１１の上下にはみ出す大きさをしている。あるいは、下胴縁７２の筒部７２ａに嵌入状態となったとき、筒部７２ａの軸方向からみて筒部７２ａの上側水平壁７２１（あるいは下側水平壁７２２）の上下にはみ出す大きさをしている。
第３水みち用凹部２２ｃは、アングル状嵌入部４ａのリブ３２が臨むに設けられ、第１水みち用凹部２２ａおよびと第２水みち用凹部２２ｂと同じ深さで、リブ３２の高さ方向寸法がリブ３２より大きい。
【００３１】
図４および図５は、本発明の端面隠蔽部材の第２の実施の形態であるジョイント部材をあらわしている。
図４および図５に示すように、このジョイント部材１ｂは、ＡＢＳ樹脂、塩化ビニル樹脂、ポリエチレン樹脂等の熱可塑性樹脂、これらの熱可塑性樹脂にガラス繊維やカーボン繊維等の補強繊維を混合した繊維強化樹脂や、アルミニウムやアルミニウム合金などの軽量金属から形成されていて、後述するフェンス本体７ａの上胴縁７１および下胴縁７２の長手方向の端面を隠蔽可能になっているとともに、隣接するフェンス本体７ａの上胴縁７１同士、下胴縁７２同士を連結可能になっている。
【００３２】
ジョイント部材１ｂは、上下方向に長い矩形板状をした１つの隠蔽部２ｂを有し、この隠蔽部２ｂの板厚み方向の両面が隠蔽面２５となっている。すなわち、隠蔽部２ｂは、同一平面内にない２つの隠蔽面２５を備えている。
また、ジョイント部材１ｂは、各隠蔽面２５からそれぞれ１つの筒状嵌入部３ｂと２つの平板状嵌入部４ｂが面対称位置に突設されている。
【００３３】
各筒状嵌入部３ｂは、嵌入部本体となる角筒部３４と、１０条のリブ３５を備えている。
角筒部３４は、図５（ａ）およ図６に示すように、隠蔽部２ｂの短手方向に平行な上下面の幅が、隠蔽部２ｂの長手方向に平行な側壁面の高さより長い断面略長方形をしているとともに、両側壁にビス螺合孔３６が穿設されている。
また、角筒部３４は、長方形の対角中心軸が、図５（ａ）に示すように、隠蔽部２ｂの短辺の中心より一側（図４〜図６では右側）に偏り、かつ、長辺の中心より一側（図４〜図６では上側）に偏った状態で隠蔽面２５から突設されている。
【００３４】
１０条のリブ３５は、角筒部３４の外壁面に沿って設けられ、角筒部３４の上面および下面に当たる外壁面にそれぞれ３条ずつ、角筒部３４の両側の外側面に２条ずつ設けられている。
【００３５】
各隠蔽面２５から突設された２つの平板状嵌入部４ｂは、隠蔽部２ｂの短辺に沿う方向からみて筒状嵌入部３ｂと重ならない位置で、隠蔽部２ｂの短辺の中心軸を中心にして対称に設けられている。
【００３６】
また、このジョイント部材１ｂは、４つの第１水みち用凹部２６ａと、２つの第２水みち用凹部２６ｂを備えている。
第１水みち用凹部２６ａは、角筒部３４の各コーナーの両側に設けられた２つのリブ３５が臨むように設けられ、略Ｌ字形をしている。第１水みち用凹部２６ａの深さは０．６ｍｍで、第１水みち用凹部２６ａの大きさは、筒状嵌入部３ｂが後述する上胴縁７１の筒部７１ａに嵌入状態となったとき、筒部７１ａの軸方向からみて筒部７１ａの下側水平壁７１１の上下および側壁の左右にはみ出す大きさをしている。あるいは、下胴縁７２の筒部７２ａに嵌入状態となったとき、筒部７２ａの軸方向からみて筒部７２ａの上側水平壁７２１（あるいは下側水平壁７２２）の上下および側壁の左右にはみ出す大きさをしている。
【００３７】
第２水みち用凹部２６ｂは、角筒部３４の上面中央および下面中央に設けられたリブ３５が臨む位置に、横長に設けられ、第１水みち用凹部２６ａと同じ深さで、筒状嵌入部３ｂが後述する上胴縁７１の筒部７１ａに嵌入状態となったとき、筒部７１ａの軸方向からみて筒部７１ａの下側水平壁７１１の上下にはみ出す大きさをしている。あるいは、下胴縁７２の筒部７２ａに嵌入状態となったとき、筒部７２ａの軸方向からみて筒部７２ａの上側水平壁７２１（あるいは下側水平壁７２２）の上下にはみ出す大きさをしている。
【００３８】
以下に、上記エンドキャップ１ａおよびジョイント部材１ｂを用いた本発明の端面隠蔽構造を図７〜図１２を用いて詳しく説明する。
図７および図８は、上記エンドキャップ１ａおよびジョイント部材１ｂを用いた端面隠蔽構造を備えたフェンスの１例をあらわしている。
【００３９】
図７および図８に示すように、このフェンス７は、複数本の支柱７ｂと複数枚のフェンス本体７ａを備えている。
各支柱７ｂは、コンクリート基礎あるいはブロック等のベース８に下端が埋め込まれた状態で垂直に立設されている。
【００４０】
各フェンス本体７ａは、筒状部材としての上胴縁７１と、筒状部材としての下胴縁７２と、横格子部材７３と、縦桟材７４とが組み立てられて形成されていて、支柱７ｂに上胴縁７１および下胴縁７２が支持されている。
【００４１】
そして、フェンス７は、図７および図８と、図９あるいは図１０に示すように、フェンス７の長手方向両端で、フェンス本体７ａの上胴縁７１および下胴縁７２の端面を隠蔽するようにエンドキャップ１ａが以下のように取り付けられている。
すなわち、エンドキャップ１ａは、上胴縁７１に対し、図９に示すように、隠蔽面２１が上胴縁７１の端面に当接するように、筒状嵌入部３ａが上胴縁７１の筒部７１ａ内に嵌入され、２つのアングル状嵌入部４ａが筒部７１ａ下方に設けられた第１レール溝部７１ｂ内に嵌入されるとともに、図８に示すように、上胴縁７１の一方の側面からビス６がビス螺合孔３３にねじ込まれ、抜け止めされた状態で取り付けられる。
【００４２】
なお、筒状嵌入部３ａおよびアングル状嵌入部４ａが上胴縁７１内に嵌入されるに伴い、筒状嵌入部３ａの一部のリブ３２およびアングル状嵌入部４ａのリブが上胴縁７１の内壁面で削られながら上胴縁７１内に嵌入されて行き、上胴縁７１の内壁面に圧接状態になり、キャップ本体２ａが位置決めされる。
また、第１水みち用凹部２２ａ、第２水みち用凹部２２ｂおよび第３水みち用凹部２２ｃがリブ３２を臨む位置に設けられているので、リブ３２の削れかすは、第１水みち用凹部２２ａ、第２水みち用凹部２２ｂおよび第３水みち用凹部２２ｃ内に入り込む。したがって、筒状嵌入部３ａおよびアングル状嵌入部４ａがリブ３２によってガイドされながらスムーズに上胴縁７１内に嵌入される。
【００４３】
そして、エンドキャップ１ａが上記のように上胴縁７１に取り付けられることによって、図９に示すように、筒部７１ａの下側水平壁７１１に沿うように設けられた第１水みち用凹部２２ａおよび第２水みち用凹部２２ｂが下側水平壁７１１の上下にはみ出た状態になる。
したがって、上胴縁７１の上側端面と隠蔽面２１との間に隙間が生じ、この隙間から筒部７１ａ内に水が入り込んだ場合でも、角筒部３１の上面側のリブ３２に沿って筒部７１ａの奥側に流れ込まず、リブ３２が臨む第１水みち用凹部２２ａあるいは第２水みち用凹部２２ｂに入り込み、隠蔽面２１に沿って下方に流れる。
また、隠蔽面２１に沿って下方に流れ落ちた水は、筒部７１ａの下側水平壁７１１に沿って設けられた第２水みち用凹部２２ｂおよび下側の第１水みち用凹部２２ａが、下側水平壁７１１の上下にはみ出る大きさをしているので、下側水平壁７１１に沿って設けられた第２水みち用凹部２２ｂおよび下側の第１水みち用凹部２２ａ内を通り、第１レール溝部７１ｂ側に流れ、第１レール溝部７１ｂの下方の開口７１２から排出される。
すなわち、筒部７１ａの下側水平壁７１１に排水孔を穿設しなくても、上胴縁７１の上側端面と隠蔽面２１との間に隙間から筒部７１ａ内に流れ込んだ水が、筒部７１ａ内に溜まることがなく排水される。
また、上胴縁７１は、筒部７１ａの側壁に沿って固定金具（図示せず）の一部が入り込む第２レール溝部７１ｃが設けられているが、第２レール溝部７１ｃの開口７１３から第２レール溝部７１ｃ内に水が流れ込んでも、第２レール溝部７１ｃに入った水は、下側水平壁７１１と側壁に沿った下側の第１水道用凹部２２ａを介して第１レール溝部７１ｂ側に流れ、第１レール溝部７１ｂの下方の開口７１２から排水される。
【００４４】
一方、エンドキャップ１ａは、下胴縁７２に対して、図１０に示すように、上胴縁７１とは上下反転させた状態で、隠蔽面２１が下胴縁７２の端面に当接するように、筒状嵌入部３ａが下胴縁７２の筒部７２ａ内に嵌入され、２つのアングル状嵌入部４ａが筒部７２ａ上方に設けられたレール溝部７２ｂ内に嵌入されるとともに、下胴縁７２の一方の側面からビス６がビス螺合孔３３にねじ込まれ、抜け止めされた状態で取り付けられる。
【００４５】
なお、筒状嵌入部３ａおよびアングル状嵌入部４ａが下胴縁７２内に嵌入されるに伴い、筒状嵌入部３ａの一部のリブ３２およびアングル状嵌入部４ａのリブが下胴縁７２の内壁面で削られながら下胴縁７２内に嵌入されて行き、下胴縁７２の内壁面に圧接状態になり、位置決めされる。
また、第１水みち用凹部２２ａ、第２水みち用凹部２２ｂおよび第３水みち用凹部２２ｃがリブ３２を臨む位置に設けられているので、リブ３２の削れかすは、第１水みち用凹部２２ａ、第２水みち用凹部２２ｂおよび第３水みち用凹部２２ｃ内に入り込む。したがって、筒状嵌入部３ａおよびアングル状嵌入部４ａが、リブ３２によってガイドされながらスムーズに下胴縁７２内に嵌入される。
【００４６】
そして、エンドキャップ１ａが上記のように下胴縁７２に取り付けられることによって、図１０に示すように、下胴縁７２のレール溝部７２ｂの底となる筒部７２ａの上側水平壁７２１に沿うように設けられた第１水みち用凹部２２ａおよび第２水みち用凹部２２ｂが上側水平壁７２１の上下にはみ出た状態になる。また、下側水平壁７２２に沿うように設けられた第１水みち用凹部２２ａおよび第２水みち用凹部２２ｂが下側水平壁７２２の上下にはみ出た状態になる。
【００４７】
したがって、レール溝部７２ｂに開口７２３を介してレール溝部７２ｂ内に水が入り込んでも、上側水平壁７２１に沿うように設けられた第１水みち用凹部２２ａおよび第２水みち用凹部２２ｂを介して筒部７２ａ側に排水される。そして、筒部７２ａ側に入り込んだ水は下側水平壁７２２に沿うように設けられた第１水みち用凹部２２ａおよび第２水みち用凹部２２を介して下胴縁７２外に排水される。
すなわち、レール溝部７２ｂ内および筒部７２ａ内に水が溜まることがない。
【００４８】
なお、図１０中、７２ｃは、支柱７ｂに固定された受け金具の断面略Ｌ字形をした受部がはまり込み、フェンス本体７ａを下方から支柱に支持する断面略Ｌ字形の溝である。
【００４９】
また、フェンス７は、図７および図８と、図１１あるいは図１２に示すように、隣接する２つのフェンス本体７ａの上胴縁７１同士があるいは下胴縁７２同士がジョイント部材１ｂによって連結されるとともに、以下のように、ジョイント部材１ｂの隠蔽部２ｂによって上胴縁７１および下胴縁７２の端面が隠蔽されている。
【００５０】
すなわち、ジョイント部材１ｂは、隣接する２つの上胴縁７１に対し、図１１に示すように、一方の隠蔽面２５が一方の上胴縁７１の端面に当接し、他方の隠蔽面２５が同様に他方の上胴縁７１の端面に当接するように、筒状嵌入部３ｂが上胴縁７１の筒部７１ａ内に嵌入され、２つの平板状嵌入部４ｂが筒部７１ａ下方に設けられた第１レール溝部７１ｂ内に嵌入されるとともに、図８に示すように、上胴縁７１の一方の側面からビス６がビス螺合孔３３にねじ込まれ、抜け止めされた状態で取り付けられる。
【００５１】
なお、筒状嵌入部３ｂが上胴縁７１内に嵌入されるに伴い、筒状嵌入部３ｂの一部のリブ３５が上胴縁７１の内壁面で削られながら上胴縁７１内に嵌入されて行き、上胴縁７１の内壁面に圧接状態になり、隠蔽部２ｂが位置決めされる。
また、第１水みち用凹部２６ａおよび第２水みち用凹部２６ｂがリブ３５を臨む位置に設けられているので、リブ３５の削れかすは、第１水みち用凹部２６ａおよび第２水みち用凹部２６ｂ内に入り込む。したがって、筒状嵌入部３ｂが、リブ３５によってガイドされながらスムーズに上胴縁７１内に嵌入される。
【００５２】
そして、ジョイント部材１ｂが上胴縁７１に取り付けられることによって、図１１に示すように、筒部７１ａの下側水平壁７１１に沿うように設けられた第１水みち用凹部２６２ａおよび第２水みち用凹部２６ｂが下側水平壁７１１の上下にはみ出た状態になる。
したがって、上胴縁７１の上側端面と隠蔽面２１との間に隙間が生じ、この隙間から筒部７１ａ内に水が入り込んだ場合でも、角筒部３１の上面側のリブ３２に沿って筒部７１ａの奥側に流れ込まず、リブ３２が臨む第１水みち用凹部２６ａあるいは第２水みち用凹部２６ｂに入り込み、隠蔽面２１に沿って下方に流れる。
また、隠蔽面２１に沿って下方に流れ落ちた水は、筒部７１ａの下側水平壁７１１に沿って設けられた第２水みち用凹部２６ｂおよび下側の第１水みち用凹部２６ａが、下側水平壁７１１の上下にはみ出る大きさをしているので、下側水平壁７１１に沿って設けられた第２水みち用凹部２６ｂおよび下側の第１水みち用凹部２６ａ内を通り、第１レール溝部７１ｂ側に流れ、第１レール溝部７１ｂの下方の開口７１２から排出される。
すなわち、筒部７１ａの下側水平壁７１１に排水孔を穿設しなくても、上胴縁７１の上側端面と隠蔽面２１との間に隙間から筒部７１ａ内に流れ込んだ水が、筒部７１ａ内に溜まることがなく排水される。
また、上胴縁７１は、筒部７１ａの側壁に沿って固定金具（図示せず）の一部が入り込む第２レール溝部７１ｃが設けられているが、第２レール溝部７１ｃの開口７１３から第２レール溝部７１ｃ内に水が流れ込んでも、第２レール溝部７１ｃに入った水は、下側水平壁７１１と側壁に沿った下側の第１水道用凹部２６ａを介して第１レール溝部７１ｂ側に流れ、第１レール溝部７１ｂの下方の開口７１２から排水される。
すなわち、筒部７１ａに排水孔を穿設しなくても、上胴縁７１の上側端面と隠蔽面２５との間に隙間から筒部７１ａ内に流れ込んだ水が、筒部７１ａ内に溜まることがなく排水される。
【００５３】
一方、ジョイント部材１ｂは、隣接する２つの下胴縁７２に対し、図１２に示すように、上胴縁７１とは上下反転させた状態で、一方の隠蔽面２５が一方の上胴縁７１の端面に当接し、他方の隠蔽面２５が同様に他方の上胴縁７１の端面に当接するように、筒状嵌入部３ｂが下胴縁７２の筒部７２ａ内に嵌入され、２つの平板状嵌入部４ｂが筒部７２ａ上方に設けられたレール溝部７２ｂ内に嵌入されるとともに、下胴縁７２の一方の側面からビス６がビス螺合孔３６にねじ込まれ、抜け止めされた状態で取り付けられる。
【００５４】
なお、筒状嵌入部３ｂおよびアングル状嵌入部４ａが下胴縁７２内に嵌入されるに伴い、筒状嵌入部３ｂの一部のリブ３５および平板状嵌入部４ｂのリブ３５が下胴縁７２の内壁面で削られながら下胴縁７２内に嵌入されて行き、下胴縁７２の内壁面に圧接状態になり、隠蔽部２ｂが位置決めされる。
また、第１水みち用凹部２６ａおよび第２水みち用凹部２６ｂがリブ３５を臨む位置に設けられているので、リブ３５の削れかすは、第１水みち用凹部２６ａおよび第２水みち用凹部２６ｂ内に入り込む。したがって、リブ３５によってガイドされながら、筒状嵌入部３ｂがスムーズに下胴縁７２内に嵌入される。
【００５５】
そして、ジョイント部材１ｂが上記のように下胴縁７２に取り付けられることによって、図１２に示すように、下胴縁７２のレール溝部７２ｂの底となる筒部７２ａの上側水平壁７２１に沿うように設けられた第１水みち用凹部２６ａおよび第２水みち用凹部２６ｂが上側水平壁７２１の上下にはみ出た状態になる。また、下側水平壁７２２に沿うように設けられた第１水みち用凹部２６ａおよび第２水みち用凹部２６ｂが下側水平壁７２２の上下にはみ出た状態になる。
【００５６】
したがって、レール溝部７２ｂに開口７２３を介してレール溝部７２ｂ内に水が入り込んでも、上側水平壁７２１に沿うように設けられた第１水みち用凹部２６ａおよび第２水みち用凹部２６ｂを介して筒部７２ａ側に排水される。そして、筒部７２ａ側に入り込んだ水は下側水平壁７２２に沿うように設けられた第１水みち用凹部２２ａおよび第２水みち用凹部２２を介して下胴縁７２外に排水される。
すなわち、レール溝部７２ｂ内および筒部７２ａ内に水が溜まることがない。
【００５７】
さらに、上記フェンス７は、エンドキャップ１ａおよびジョイント部材１ｂが上下を反転させることで、上胴縁７１および下胴縁７２のいずれにも用いることができるので、部品点数が少なくなり、コストダウンを図ることができる。
【００５８】
図１３は、ジョイント部材の他の実施の形態をあらわしている。
図１３に示すように、このジョイント部材１ｃは、隠蔽部２７が平面視略直角三角形をしていて、直交する２つの隠蔽面２５を備えている以外は、上記ジョイント部材１ｂと同様になっている。なお、図１３中、上記ジョイント部材１ｂと同様の構造部位については同じ符号を付している。
【００５９】
このジョイント部材１ｃは、隠蔽部２ｃが平面視略直角三角形をしていて、直交する２つの隠蔽面２５を備えているので、２つのフェンス本体７ａを直交した連結状態にすることができる。勿論、他の構成は上記ジョイント部材１ｂと同様になっているので、筒部７１ａあるいは筒部７２ａ内に水が溜まることがない。
【００６０】
本発明は、上記の実施の形態に限定されない。例えば、上記の実施の形態では、筒状部材が、四角筒状の筒部とレール溝を備えた上胴縁および下胴縁であったが、金網フェンスの金網の上端、下端、あるいは中間部を支持する円筒形あるいは角筒形の筒部のみの横桟部材や門から玄関にいたるアプローチ部分に設けられた手摺の手摺本体を構成する手摺パイプにも本発明の端面隠蔽構造を用いることができる。
また、上記の実施の形態では、各隠蔽面から１つの筒状嵌入部と２つのアングル状嵌入部のあるいは板状嵌入部が突設されていたが、筒状部材の形状に応じて１つの筒状嵌入部のみでも構わないし、２つ以上の筒状嵌入部を備えていても構わない。
さらに、上記の実施の形態では、エンドキャップおよびジョイント部材が上下反転させることによって、上胴縁および下胴縁のいずれにも用いることができるようになっていたが、必要に応じて上胴縁および下胴縁のそれぞれエンドキャップあるいはジョイントを用いるようにしても構わないし、支柱の壁面に直接嵌入部を設け、支柱の壁面が隠蔽面を兼ねるようにしても構わない。
【符号の説明】
【００６１】
１ａ  エンドキャップ
１ｃ  ジョイント部材
１ｂ  ジョイント部材
２ａ  キャップ本体（隠蔽部）
２ｂ  隠蔽部
２ｃ  隠蔽部
２１  隠蔽面
２２ａ  第１水みち用凹部
２２ｂ  第２水みち用凹部
２２ｃ  第３水みち用凹部
２５  隠蔽面
２６ａ  第１水みち用凹部
２６ｂ  第２水みち用凹部
３ａ  筒状嵌入部
３ｂ  筒状嵌入部
３１  角筒部（嵌入部本体）
３２  リブ
３３  ビス螺合孔
３４  角筒部（嵌入部本体）
３５  リブ
３６  ビス螺合孔
４ａ  アングル状嵌入部
４ｂ  平板状嵌入部
４１  嵌入部本体
４２  リブ
４３  補強部
６  ビス
７  フェンス
７ａ  フェンス本体
７ｂ  支柱
７１  上胴縁
７１ａ  筒部
７１ｂ  第１レール溝部
７１ｃ  第２レール溝部
７１１  下側水平壁
７１２  開口（第１レール溝部）
７１３  開口（第２レール溝部）
７２  下胴縁
７２ａ  筒部
７２ｂ  レール溝部
７２ｃ  溝
７２１  上側水平壁
７２２  下側水平壁
７２３  開口（レール溝部）
７３  横格子部材
７４  縦桟材
８  ベース
【図１】
2015010376.tif 000003
【図２】
2015010376.tif 000004
【図３】
2015010376.tif 000005
【図４】
2015010376.tif 000006
【図５】
2015010376.tif 000007
【図６】
2015010376.tif 000008
【図７】
2015010376.tif 000009
【図８】
2015010376.tif 000010
【図９】
2015010376.tif 000011
【図１０】
2015010376.tif 000012
【図１１】
2015010376.tif 000013
【図１２】
2015010376.tif 000014
【図１３】
2015010376.tif 000015